(57)【要約】【課題】フルデュープレクス方式を採用した携帯無線通信端末の復調性能を改善する。【解決手段】アンテナ共用器７０を介して伝搬される受信信号に所定周波数の発振信号を混合して、所定周波数Ｆ１の中間周波信号を生成するミキサ５２、このミキサ５２から出力される上記中間周波信号を復調する復調器５４、上記ミキサ５２と上記アンテナ共用器７０との間に設けられ、所定の周波数帯域（Ｒｘｍｉｎ〜Ｒｘｍａｘ）の信号を通過させる帯域フィルタ５６を備え、上記帯域フィルタ５６の通過周波数の上限周波数Ｒｘｍａｘと送信周波数の下限周波数Ｔｘｍｉｎとの関係が、Ｒｘｍａｘ＜Ｔｘｍｉｎの場合に、上記中間周波信号の周波数Ｆ１が、Ｆ１＞Ｔｘｍａｘ−Ｒｘｍｉｎ但し、Ｔｘｍａｘは送信周波数の上限周波数Ｒｘｍｉｎは帯域フィルタの通過周波数の下限周波数を満たすように、上記ミキサ５２に入力する発振信号の周波数を決定する。【選択図】  図１
2004304431.tif 000002
【特許請求の範囲】
【請求項１】
所定の周波数帯（Ｔｘｍｉｎ〜Ｔｘｍａｘ）の送信信号を出力する送信機、高周波信号をダウンコンバートして復調する受信機、この受信機及び上記送信機と電気的に接続されたアンテナ共用器、このアンテナ共用器を介して上記送信機および受信機に接続されるアンテナを備え、上記送信機及び受信機が上記アンテナ共用器及びアンテナを介して同時に送受信動作をすることが可能な携帯無線通信端末において、
上記受信機は、
上記アンテナ共用器を介して伝搬される受信信号に所定周波数の発振信号を混合して、所定周波数Ｆ１の中間周波信号を生成するミキサ、
このミキサから出力される上記中間周波信号を復調する復調器、
上記ミキサと上記アンテナ共用器との間に設けられ、所定の周波数帯域（Ｒｘｍｉｎ〜Ｒｘｍａｘ）の信号を通過させる帯域フィルタを備え、
上記帯域フィルタの通過周波数の上限周波数Ｒｘｍａｘと送信周波数の下限周波数Ｔｘｍｉｎとの関係が、Ｒｘｍａｘ＜Ｔｘｍｉｎの場合に、
上記中間周波信号の周波数Ｆ１が、
Ｆ１＞Ｔｘｍａｘ−Ｒｘｍｉｎ
但し、Ｔｘｍａｘは送信周波数の上限周波数
Ｒｘｍｉｎは帯域フィルタの通過周波数の下限周波数
を満たすか、若しくは、
Ｆ１＜Ｔｘｍｉｎ−Ｒｘｍａｘ
但し、Ｔｘｍｉｎは送信周波数の下限周波数
Ｒｘｍａｘは帯域フィルタの通過周波数の下限周波数
を満たすように上記ミキサに入力する発振信号の周波数が決定され、
上記送信周波数の上限周波数Ｔｘｍａｘと帯域フィルタの通過周波数の下限周波数Ｒｘｍｉｎとの関係が、Ｔｘｍａｘ＜Ｒｘｍｉｎの場合に、
Ｆ１＞Ｒｘｍａｘ−Ｔｘｍｉｎ
但し、Ｒｘｍａｘは帯域フィルタの通過周波数の上限周波数
Ｔｘｍｉｎは送信周波数の下限周波数
を満たすか、若しくは、
Ｆ１＜Ｒｘｍｉｎ−Ｔｘｍａｘ
但し、Ｒｘｍｉｎは帯域フィルタの通過周波数の下限周波数
Ｔｘｍａｘは送信周波数の上限周波数
を満たすように上記ミキサに入力する発振信号の周波数が決定されていることを特徴とする携帯無線通信端末。
【請求項２】
請求項１記載の携帯無線通信端末において、
基準周波数Ｆｓの信号を発振する基準周波数発振器、
この基準周波数発振器から出力される信号の周波数をｎ倍（ｎは任意の自然数）する逓倍回路、
上記ミキサと上記復調器との間で、上記ミキサから出力される上記中間周波信号に、上記逓倍回路の出力信号を混合し、所定周波数Ｆ２の第２中間周波信号を生成する第２ミキサを備えたことを特徴とする携帯無線通信端末。
【発明の詳細な説明】
【０００１】
【発明の属する技術分野】
この発明は、フルデュープレクス方式を採用した携帯無線通信端末に関し、特に復調性能を改善した携帯無線通信端末に関する。
【０００２】
【従来の技術】
従来、背景技術として、下記特許文献１に記載されたものがあった。
特許文献１に記載された技術は、バランス型アンテナ、このバランス型アンテナに電気的に接続されたバランス型共用部、このバランス型共用部を介して上記バランス型アンテナと電気的に接続される受信部および送信部を備えた無線通信回路である。
【０００３】
また、上記受信部は、受信信号を所定の発振信号と混合して中間周波信号を生成するミキサを内部に備えている。そして、このミキサと上記バランス型共用部との間に、所定周波数帯の入力信号をほとんど減衰させることなく通過させる一方で、この所定周波数帯以外の周波数の信号を大きく減衰させるバンドパスフィルタが設けられている。なお、以下、このバンドパスフィルタへの入力信号が、ほとんど減衰することなく通過できる周波数帯を「通過周波数帯」という。
【０００４】
【特許文献１】
特開２００３−６０５１９公報
【０００５】
【発明が解決しようとする課題】
しかし、送受信動作を同時に行うフルデュープレクス方式を使用した携帯無線通信端末を作製する場合、上記特許文献１に記載された無線通信回路を利用すると、以下の問題点が生じ、復調器の復調性能が劣化するという課題があった。以下その問題点を詳述する。
【０００６】
第１に、送信部から出力された送信信号の一部が、バランス型共用器から受信部へ回り込み、上記バンドパスフィルタを通過し、ミキサに入力される問題がある。その第１の理由は、送信部と受信部とがバランス型共用器を介して電気的に接続されているため、送信部から出力される送信信号の一部が、受信部に入力されるからである。その第２の理由は、送信信号の強度が非常に強いため、上記送信信号の周波数が、上記通過周波数帯外の周波数領域であったとしても、バンドパスフィルタによって十分減衰されないからである。
【０００７】
第２に、上記中間周波信号の周波数Ｆ１を送信信号の周波数Ｔｘから減じた周波数（Ｔｘ−Ｆ１）の妨害信号（以降、「所定妨害信号」という）が発生した場合、この所定妨害信号が、上記バンドパスフィルタを通過し、上記ミキサに入力され得るという問題がある。その理由は規格等によって定められる諸条件によるものである。その具体的理由は次のとおりである。規格上、携帯無線通信端末がフルデュープレクス方式を使用した場合に、上記携帯無線通信端末が基地局から受信する信号の周波数は、８１０〜８２８ＭＨｚのいずれかの周波数である。したがって、上記バンドバスフィルタは、８１０〜８２８ＭＨｚの信号が通過できるように構成される。また、携帯無線通信端末がフルデュープレクス方式を使用して信号を送信する場合に、上記携帯無線通信端末が使用することができる周波数は、９４０〜９５８ＭＨｚのうち、上記受信信号の周波数と１３０ＭＨｚ離れた周波数である。そして、上記ミキサから出力される中間周波信号の周波数Ｆ１は、１１３．８５ＭＨｚ程度に決定されることが一般的である。以上の事情から、一般的に、上記所定妨害信号の周波数は、８２６．１５〜８４４．１５ＭＨｚとなり、所定妨害信号が、上記バンドパスフィルタを通過する場合があり得る。
【０００８】
第３に、フルデュープレクス方式を採用した携帯無線通信端末であるので、上記所定妨害信号の受信動作と、上記送信信号Ｔｘの発生とが同時に起こり得る問題がある。この問題により、周波数（Ｔｘ−Ｆ１）の上記所定妨害信号と、周波数Ｔｘの上記送信信号とが上記ミキサで混合され、周波数Ｆ１の妨害信号が発生し得る。この妨害信号は上記ミキサの後段で使用される周波数Ｆ１の中間周波信号と同一周波数であるため、バンドパスフィルタによって除去できない。また、携帯無線通信端末であれば、上記ミキサの後段に復調器を設ける必要がある。したがって、上記復調器に、上記妨害信号が入力される。
以上の問題により、上記復調器の復調性能が劣化する。
【０００９】
そこで、この発明は上記課題を解決し、復調性能を改善したフルデュープレクス方式の携帯無線通信端末を提供することを目的にする。
【００１０】
【課題を解決するための手段】
この発明は、所定の周波数帯（Ｔｘｍｉｎ〜Ｔｘｍａｘ）の送信信号を出力する送信機、高周波信号をダウンコンバートして復調する受信機、この受信機及び上記送信機と電気的に接続されたアンテナ共用器、このアンテナ共用器を介して上記送信機および受信機に接続されるアンテナを備え、上記送信機及び受信機が上記アンテナ共用器及びアンテナを介して同時に送受信動作をすることが可能な携帯無線通信端末において、上記受信機は、上記アンテナ共用器を介して伝搬される受信信号に所定周波数の発振信号を混合して、所定周波数Ｆ１の中間周波信号を生成するミキサ、このミキサから出力される上記中間周波信号を復調する復調器、上記ミキサと上記アンテナ共用器との間に設けられ、所定の周波数帯域（Ｒｘｍｉｎ〜Ｒｘｍａｘ）の信号を通過させる帯域フィルタを備え、上記帯域フィルタの通過周波数の上限周波数Ｒｘｍａｘと送信周波数の下限周波数Ｔｘｍｉｎとの関係が、Ｒｘｍａｘ＜Ｔｘｍｉｎの場合に、上記中間周波信号の周波数Ｆ１が、
Ｆ１＞Ｔｘｍａｘ−Ｒｘｍｉｎ
但し、Ｔｘｍａｘは送信周波数の上限周波数
Ｒｘｍｉｎは帯域フィルタの通過周波数の下限周波数
を満たすか、若しくは、
Ｆ１＜Ｔｘｍｉｎ−Ｒｘｍａｘ
但し、Ｔｘｍｉｎは送信周波数の下限周波数
Ｒｘｍａｘは帯域フィルタの通過周波数の下限周波数
を満たすように上記ミキサに入力する発振信号の周波数が決定され、
上記送信周波数の上限周波数Ｔｘｍａｘと帯域フィルタの通過周波数の下限周波数Ｒｘｍｉｎとの関係が、Ｔｘｍａｘ＜Ｒｘｍｉｎの場合に、
Ｆ１＞Ｒｘｍａｘ−Ｔｘｍｉｎ
但し、Ｒｘｍａｘは帯域フィルタの通過周波数の上限周波数
Ｔｘｍｉｎは送信周波数の下限周波数
を満たすか、若しくは、
Ｆ１＜Ｒｘｍｉｎ−Ｔｘｍａｘ
但し、Ｒｘｍｉｎは帯域フィルタの通過周波数の下限周波数
Ｔｘｍａｘは送信周波数の上限周波数
を満たすように上記ミキサに入力する発振信号の周波数が決定されている携帯無線通信端末である。
【００１１】
【発明の実施の形態】
実施の形態１．
この実施の形態は、携帯無線通信端末として、携帯電話機に適用した実施の形態である。以下、実施の形態１に係る携帯電話機の構成を図１に基づいて説明する。図１は、携帯電話機の高周波回路部の構成を表すブロック構成図である。
【００１２】
図１において、携帯電話機は、９４０〜９５８ＭＨｚの周波数帯（Ｔｘｍｉｎ〜Ｔｘｍａｘ）の送信信号を出力する送信機３０、高周波信号をダウンコンバートして復調する受信機５０、この受信機５０及び上記送信機３０と電気的に接続されたアンテナ共用器７０、このアンテナ共用器７０を介して上記送信機３０および受信機５０と電気的に接続されるアンテナ９０を備えている。
【００１３】
また、この実施の形態の携帯電話機は、いわゆるフルデュープレックス方式を使用したものであり、上記送信機３０及び受信機５０が上記アンテナ共用器７０及びアンテナ９０を介して同時に送受信動作をすることが可能である。
【００１４】
上記受信機５０は、上記アンテナ共用器７０を介して伝搬される受信信号に所定周波数の発振信号Ｌ１を混合して、１７６．８５ＭＨｚ（所定周波数Ｆ１）の第１中間周波信号（中間周波信号）を生成する第１ミキサ（ミキサ）５２、この第１ミキサ５２から出力される信号を復調する復調器５４、上記第１ミキサ５２と上記アンテナ共用器７０との間に設けられ、８１０〜８２８ＭＨｚの周波数帯域（Ｒｘｍｉｎ〜Ｒｘｍａｘ）の信号を通過させる第１ＢＰＦ（Ｂａｎｄ  Ｐａｓｓ  Ｆｉｌｔｅｒ；帯域フィルタ）５６を備えている。
【００１５】
また、上記第１ミキサ５２から出力された信号を上記復調器５４で復調可能にするため、上記第１ミキサ５２と復調器５４との間には、発振回路８０から出力される１７６．４ＭＨｚの発振信号と上記第１ミキサ５２から出力される周波数Ｆ１（１７６．８５ＭＨｚ）の中間周波信号とを混合する第２ミキサ５８が設けられている。上記発振回路８０は、２５．２ＭＨｚの周波数の信号を発振するＴＣＸＯ（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）からなる基準周波数発振器８２に、入力信号の周波数を７倍して出力する逓倍回路８４を接続して構成される。なお、この実施の形態で、上記復調器５４が復調可能な信号の周波数は４５０ｋＨｚである。
【００１６】
また、上記第１ＢＰＦ５６と上記第１ミキサ５２との間には、ＬＮＡ（ＬｏｗＮｏｉｓｅ  Ａｍｐ；低雑音増幅器）６０及び第２ＢＰＦ６２が設けられている。また、上記第１ミキサ５２と第２ミキサ５８との間には、第３ＢＰＦ６４が設けられている。また、受信信号（８１０〜８２８ＭＨｚ）に応じて、第１ミキサ５２に入力される発振信号Ｌ１の周波数は変動し、上記第１ミキサ５２からは定常的に１７６．８５ＭＨｚ（Ｆ１）の周波数の信号が出力されるように構成されている。なお、携帯電話機が受信した信号の周波数に応じて、発振信号Ｌ１の周波数を変動させる技術は公知であるので、その技術の構成の説明は省略する。
【００１７】
送信機３０は、変調器３２、この変調器３２の出力信号と所定の発振信号Ｌ２を混合し、上記変調器３２からの出力信号をアップコンバートする第３ミキサ３４、この第３ミキサ３４の出力信号のうち、所定周波数の信号を大きく減衰させる第４ＢＰＦ３６、この第４ＢＰＦ３６を通過した信号を所定の発振信号Ｌ３と混合して、高周波信号を生成する第４ミキサ３８、この第４ミキサ３８と上記アンテナ共用器７０との間に設けられる第５ＢＰＦ４０、この第５ＢＰＦ４０を通過した信号を増幅するパワーアンプ４２、このパワーアンプ４２で増幅された信号のうち、所定周波数の信号を大きく減衰させる第６ＢＰＦ４４を備えている。
【００１８】
実施の形態１の携帯電話機が使用している送信信号の周波数（Ｔｘｍｉｎ〜Ｔｘｍａｘのいずれかの周波数）Ｔｘから、第１ミキサ５２から出力される中間周波信号の周波数Ｆ１を減じた周波数（Ｔｘ−Ｆ１）を有する妨害信号（以下、「所定妨害信号」という）Ｗが発生した場合の携帯電話機の動作を図１、図２に基づいて説明する。図２は、実施の形態１の携帯電話機で用いる各周波数の関係を示す図である。
【００１９】
この実施の形態では、送信周波数の上限周波数Ｔｘｍａｘは９５８ＭＨｚ、送信周波数の下限周波数Ｔｘｍｉｎは９４０ＭＨｚ、第１ＢＰＦ５６の通過周波数の上限周波数は８２８ＭＨｚ、第１ＢＰＦの通過周波数の下限周波数は８１０ＭＨｚに設定されている。また、第１ミキサ５２から出力される中間周波信号の周波数Ｆ１は、１４８ＭＨｚ（＝Ｔｘｍａｘ−Ｒｘｍｉｎ）よりも大きな１７６．８５ＭＨｚと設定されている。
【００２０】
ところで、送信信号の周波数Ｔｘが最大の場合に所定妨害信号Ｗの周波数は最大となり、送信信号の周波数Ｔｘが最小の場合に所定妨害信号Ｗの周波数は最小となる。
【００２１】
したがって、所定妨害信号Ｗは最大で７８１．１５ＭＨｚ、最小で７６３．１５ＭＨｚとなる。そのため、実施の形態１の携帯電話機で用いられている送信周波数がＴｘｍｉｎ〜Ｔｘｍａｘのいずれの周波数であったとしても、所定妨害信号Ｗは、第１ＢＰＦ５６の通過周波数の下限周波数８１０ＭＨｚよりも小さくなる。即ち所定妨害信号Ｗは、アンテナ９０で受信されても、第１ＢＰＦ５６で大きく減衰され、第１ミキサ５２に入力されない。以上の各周波数の関係を図２に基づいて一般式で示すと次のようになる。
【００２２】
第１ＢＰＦ５６の通過周波数の上限周波数Ｒｘｍａｘと送信周波数の下限周波数Ｔｘｍｉｎとの関係が、Ｒｘｍａｘ＜Ｔｘｍｉｎの場合に、
第１ミキサ５２から出力される中間周波信号の周波数Ｆ１が、
Ｆ１＞Ｔｘｍａｘ−Ｒｘｍｉｎ
但し、Ｔｘｍａｘは送信周波数の上限周波数
Ｒｘｍｉｎは第１ＢＰＦ５６の通過周波数の下限周波数
を満たすように第１ミキサ５２に入力する発振信号の周波数が決定される。
【００２３】
以上の構成によれば、携帯電話機が使用している送信信号の周波数が、Ｔｘｍｉｎ〜Ｔｘｍａｘのいずれの周波数であったとしても、所定妨害信号Ｗは、第１ＢＰＦ５６の通過周波数の下限周波数Ｒｘｍｉｎよりも低い周波数となり、第１ＢＰＦ５６によって大きく減衰される。したがって、第１ＢＰＦ５６の後段にある第１ミキサ５２によって、中間周波信号Ｆ１と同一の周波数の妨害信号が発生しない。即ち、第１ミキサ５２の後段にある復調器５４の性能を良好にした携帯電話機を提供できる。
【００２４】
また、この実施の形態の携帯電話機は、基準周波数発振器８２から発振される信号の周波数Ｆｓ（２５．２ＭＨｚ）を逓倍（ｎ倍；ｎは任意の自然数）した周波数（２５．２×７＝１７６．４ＭＨｚ）の信号を発振信号として、第２ミキサ５８に入力できる。したがって、第２ミキサ５８で混合する発振信号の生成のために、ＶＣＯ（Ｖｏｌｔａｇｅ  Ｃｏｎｔｒｏｌｅｄ  Ｏｓｃｉｌｌａｔｏｒ）を設ける必要がなくなる。即ち、携帯電話機の実装面積を小さくすることができる。
【００２５】
実施の形態２．
実施の形態２で使用する携帯電話機を図１、図３に基づいて説明する。図３は、実施の形態２の携帯電話機で使用する各周波数の関係について示す図である。また、実施の形態２の携帯電話機をブロック構成図で示した場合、原則として、実施の形態１と同様の構成となるので、説明を省略する。ただし、実施の形態２では、逓倍回路８４が入力信号の周波数を７倍する代わりに、入力信号の周波数を３倍するようになる点で異なる。
【００２６】
実施の形態２の携帯電話機では、送信周波数の上限周波数Ｔｘｍａｘは９５８ＭＨｚ、送信周波数の下限周波数Ｔｘｍｉｎは９４０ＭＨｚ、第１ＢＰＦ５６の通過周波数の上限周波数は８２８ＭＨｚ、第１ＢＰＦ５６の通過周波数の下限周波数は８１０ＭＨｚに設定されている。また、第１ミキサ５２から出力される中間周波信号の周波数Ｆ１は、１１２ＭＨｚ（＝Ｔｘｍｉｎ−Ｒｘｍａｘ）よりも小さな７７．２５ＭＨｚに設定されている。
【００２７】
したがって、所定妨害信号Ｗは最大で８８０．７５ＭＨｚ、最小で８６２．７５ＭＨｚとなる。そのため、実施の形態２の携帯電話機で用いられている送信周波数がＴｘｍｉｎ〜Ｔｘｍａｘのいずれの周波数であったとしても、所定妨害信号Ｗは、第１ＢＰＦ５６の通過周波数の上限周波数８２８ＭＨｚよりも大きくなる。即ち、所定妨害信号Ｗはアンテナ９０で受信されても、第１ＢＰＦ５６で大きく減衰されて、第１ミキサ５２に入力されない。
以上の各周波数の関係を図３に基づいて一般式で示すと次のようになる。
【００２８】
第１ＢＰＦ５６の通過周波数の上限周波数Ｒｘｍａｘと送信周波数の下限周波数Ｔｘｍｉｎとの関係が、Ｒｘｍａｘ＜Ｔｘｍｉｎの場合に、
第１ミキサ５２から出力される中間周波信号の周波数Ｆ１が、
Ｆ１＞Ｔｘｍａｘ−Ｒｘｍｉｎ
但し、Ｔｘｍａｘは送信周波数の上限周波数
Ｒｘｍｉｎは帯域フィルタの通過周波数の下限周波数
を満たすように第１ミキサ５２に入力する発振信号の周波数が決定される。
以上の構成によっても、実施の形態１と同様の効果を得ることができる。
【００２９】
また、実施の形態２の携帯電話機は、基準周波数発振器８２から出力される信号の周波数Ｆｓ（２５．２ＭＨｚ）を逓倍した周波数（２５．２×３＝７５．６ＭＨｚ）の信号を発振信号として、第２ミキサ５８に入力できる。したがって、第２ミキサ５８で混合する発振信号の生成のためにＶＣＯを設ける必要がなくなる。即ち、携帯電話機の実装面積を小さくすることができる。
【００３０】
実施の形態３．
実施の形態３で使用する携帯電話機を図１、図４に基づいて説明する。図４は、実施の形態３の携帯電話機で使用する各周波数の関係について示す図である。また、実施の形態３の携帯電話機をブロック構成図で示した場合、実施の形態１と同様の構成となるので、説明を省略する。
【００３１】
実施の形態３の携帯電話機では、送信周波数の上限周波数Ｔｘｍａｘは８２８ＭＨｚ、送信周波数の下限周波数Ｔｘｍｉｎは８１０ＭＨｚ、第１ＢＰＦ５６の通過周波数の上限周波数は９５８ＭＨｚ、第１ＢＰＦ５６の通過周波数の下限周波数は９４０ＭＨｚに設定されている。また、第１ミキサ５２から出力される中間周波信号の周波数Ｆ１は、１４８ＭＨｚ（＝Ｒｘｍａｘ−Ｔｘｍｉｎ）よりも大きな１７６．８５ＭＨｚに設定されている。
【００３２】
ところで、実施の形態３のように、第１ＢＰＦ５６の通過周波数の下限周波数Ｒｘｍｉｎが、送信信号の最大周波数Ｔｘｍａｘよりも大きい（Ｒｘｍｉｎ＞Ｔｘｍａｘ）場合には、送信周波数の周波数Ｔｘに中間周波信号の周波数Ｆ１を加算した周波数（Ｔｘ＋Ｆ１）の妨害信号（以下、「所定妨害信号」という）Ｗ１が、実施の形態１、２の所定妨害信号Ｗの代わりに、携帯電話機に対して悪影響を及ぼす。
【００３３】
具体的には、所定妨害信号Ｗ１が第１ＢＰＦ５６を通過するので、第１ＢＰＦ５６の後段にある第１ミキサ５２で所定妨害信号Ｗ１と送信機３０の出力信号とが混合され、中間周波信号の周波数Ｆ１と同一周波数の妨害信号が発生する。
【００３４】
ところが、この実施の形態では、所定妨害信号Ｗ１は最大で１００４．８５ＭＨｚ、最小で９８６．８５ＭＨｚとなる。そのため、実施の形態３の携帯電話機で用いられている送信周波数がＴｘｍｉｎ〜Ｔｘｍａｘのいずれの周波数であったとしても、所定妨害信号Ｗ１は、第１ＢＰＦ５６の通過周波数の上限周波数９５８ＭＨｚよりも大きくなる。即ち、所定妨害信号Ｗは、アンテナ９０で受信されても、第１ＢＰＦ５６で大きく減衰され、第１ミキサ５２に入力されない。以上の各周波数の関係を図４に基づいて一般式で表す次のようになる。
【００３５】
送信周波数の上限周波数Ｔｘｍａｘと第１ＢＰＦ５６の通過周波数の下限周波数Ｒｘｍｉｎとの関係が、Ｔｘｍａｘ＜Ｒｘｍｉｎの場合に、
第１ミキサ５２から出力される中間周波信号の周波数Ｆ１が、
Ｆ１＞Ｒｘｍａｘ−Ｔｘｍｉｎ
但し、Ｒｘｍａｘは第１ＢＰＦ５６の通過周波数の上限周波数
Ｔｘｍｉｎは送信周波数の下限周波数
を満たすように第１ミキサ５２に入力する発振信号の周波数が決定される。
以上の構成によっても、実施の形態１と同様の効果を得ることができる。
【００３６】
また、実施の形態３の携帯電話機は、基準周波数発振器８２から発振される信号の周波数Ｆｓ（２５．２ＭＨｚ）を逓倍した周波数（２５．２×７＝１７６．４ＭＨｚ）の信号を発振信号として、第２ミキサ５８に入力できる。したがって、第２ミキサ５８で混合する発振信号の生成のために、ＶＣＯを設ける必要がなくなる。即ち、携帯電話機の実装面積を小さくすることができる。
実施の形態４．
実施の形態４で使用する携帯電話機を図１、図５に基づいて説明する。図５は、実施の形態４の携帯電話機で使用する各周波数の関係について示す図である。また、実施の形態４の携帯電話機をブロック構成図で示した場合、原則として実施の形態１と同様の構成となる。ただし、逓倍回路８４が、入力信号の周波数を７倍する代わりに、入力信号の周波数を３倍するようになる点で異なる。
【００３７】
実施の形態４の携帯電話機では、送信周波数の上限周波数Ｔｘｍａｘは８２８ＭＨｚ、送信周波数の下限周波数Ｔｘｍｉｎは８１０ＭＨｚ、第１ＢＰＦ５６の通過周波数の上限周波数は９５８ＭＨｚ、下限周波数は９４０ＭＨｚに設定されている。また、中間周波信号の周波数Ｆ１は、１１２ＭＨｚ（＝Ｒｘｍｉｎ−Ｔｘｍａｘ）よりも小さな７７．２５ＭＨｚに設定されている。
【００３８】
また、実施の形態３と同様の所定妨害信号Ｗ１は最大で９５８ＭＨｚ、最小で９４０ＭＨｚとなる。したがって、実施の形態４の携帯電話機で用いられている送信周波数がＴｘｍｉｎ〜Ｔｘｍａｘのいずれの周波数であったとしても、所定妨害信号Ｗは、第１ＢＰＦ５６の通過周波数の下限周波数９４０よりも小さくなる。即ち、所定妨害信号Ｗは、アンテナ９０で受信されても、第１ＢＰＦ５６で大きく減衰され、第１ミキサ５２に入力されない。以上の各周波数の関係を一般式で示すと次のようになる。
【００３９】
送信周波数の上限周波数Ｔｘｍａｘと第１ＢＰＦ５６の通過周波数の下限周波数Ｒｘｍｉｎとの関係が、Ｔｘｍａｘ＜Ｒｘｍｉｎの場合に、
Ｆ１＜Ｒｘｍｉｎ−Ｔｘｍａｘ
但し、Ｒｘｍｉｎは第１ＢＰＦ５６の通過周波数の下限周波数
Ｔｘｍａｘは送信周波数の上限周波数
を満たすように第１ミキサ５２に入力する発振信号の周波数が決定される。
以上の構成によっても、実施の形態１と同様の効果を得ることができる。
【００４０】
また、実施の形態４の携帯電話機は、基準周波数発振器８２から発振される信号の周波数Ｆｓ（２５．２ＭＨｚ）を逓倍した周波数（２５．２×３＝７５．６ＭＨｚ）の信号を発振信号として、第２ミキサ５８に入力できる。したがって、第２ミキサ５８で混合する発振信号の生成のために、ＶＣＯを設ける必要がなくなる。即ち、携帯電話機の実装面積を小さくすることができる。
【００４１】
【発明の効果】
この発明は、所定の周波数帯（Ｔｘｍｉｎ〜Ｔｘｍａｘ）の送信信号を出力する送信機、高周波信号をダウンコンバートして復調する受信機、この受信機及び上記送信機と電気的に接続されたアンテナ共用器、このアンテナ共用器を介して上記送信機および受信機に接続されるアンテナを備え、上記送信機及び受信機が上記アンテナ共用器及びアンテナを介して同時に送受信動作をすることが可能な携帯無線通信端末において、上記受信機は、上記アンテナ共用器を介して伝搬される受信信号に所定周波数の発振信号を混合して、所定周波数Ｆ１の中間周波信号を生成するミキサ、このミキサから出力される上記中間周波信号を復調する復調器、上記ミキサと上記アンテナ共用器との間に設けられ、所定の周波数帯域（Ｒｘｍｉｎ〜Ｒｘｍａｘ）の信号を通過させる帯域フィルタを備え、
上記帯域フィルタの通過周波数の上限周波数Ｒｘｍａｘと送信周波数の下限周波数Ｔｘｍｉｎとの関係が、Ｒｘｍａｘ＜Ｔｘｍｉｎの場合に、
上記中間周波信号の周波数Ｆ１が、
Ｆ１＞Ｔｘｍａｘ−Ｒｘｍｉｎ
但し、Ｔｘｍａｘは送信周波数の上限周波数
Ｒｘｍｉｎは帯域フィルタの通過周波数の下限周波数
を満たすか、若しくは、
Ｆ１＜Ｔｘｍｉｎ−Ｒｘｍａｘ
但し、Ｔｘｍｉｎは送信周波数の下限周波数
Ｒｘｍａｘは帯域フィルタの通過周波数の下限周波数
を満たすように上記ミキサに入力する発振信号の周波数が決定され、
上記送信周波数の上限周波数Ｔｘｍａｘと帯域フィルタの通過周波数の下限周波数Ｒｘｍｉｎとの関係が、Ｔｘｍａｘ＜Ｒｘｍｉｎの場合に、
Ｆ１＞Ｒｘｍａｘ−Ｔｘｍｉｎ
但し、Ｒｘｍａｘは帯域フィルタの通過周波数の上限周波数
Ｔｘｍｉｎは送信周波数の下限周波数
を満たすか、若しくは、
Ｆ１＜Ｒｘｍｉｎ−Ｔｘｍａｘ
但し、Ｒｘｍｉｎは帯域フィルタの通過周波数の下限周波数
Ｔｘｍａｘは送信周波数の上限周波数
を満たすように上記ミキサに入力する発振信号の周波数が決定されている。
【００４２】
したがって、送信信号と中間周波信号とが混合された信号の周波数と同一周波数の妨害信号が、帯域フィルタを通過しない。そのため、上記ミキサで、受信周波数と同一周波数の妨害信号が発生しない。したがって、復調性能が改善される。
【図面の簡単な説明】
【図１】実施の形態１の携帯電話機のブロック構成図である。
【図２】実施の形態１の各周波数の関係を示す図である。
【図３】実施の形態２の各周波数の関係を示す図である。
【図４】実施の形態３の各周波数の関係を示す図である。
【図５】実施の形態４の各周波数の関係を示す図である。
【符号の説明】
３０：送信機、                        ５０：受信機、
５２：第１ミキサ（ミキサ）、          ５４：復調器、
５６：帯域フィルタ（第１ＢＰＦ）、    ５８：第２ミキサ、
７０：アンテナ共用器、                ９０：アンテナ、
８２：基準周波数発振器、              ８４：逓倍回路。
【図１】
2004304431.tif 000003
【図２】
2004304431.tif 000004
【図３】
2004304431.tif 000005
【図４】
2004304431.tif 000006
【図５】
2004304431.tif 000007